(57)【要約】      （修正有）【課題】計量物を計量部から下ろすことなく、載せたまま計量物を連続的に計量でき、且つ操作ミスや計量間違いを防止し、作業性を向上し得る計量装置を提供する。【解決手段】計量物の重量を計量する計量部１と、その計量した内容を表示する表示部３と、各種情報等を入力する入力操作部２を備え、計量物の計量範囲を入力し記憶する計量範囲記憶手段と、計量部に載置された計量物の重量が、記憶設定された計量範囲内であるか否かを判定する許容判定手段と、計量部に載置された計量物の計量が安定しているか否かを判定する計量判定手段と、許容判定手段と計量判定手段とに基づいて、計量物の重量が計量範囲であり、且つ計量が安定していると判定された時に、表示部にゼロ表示して、次の計量準備を行う計量準備手段と、計量毎に計量回数をカウントする計量回数記憶手段とを備え、表示部に記憶された計量回数と、次に載置された計量物の重量を表示する。【選択図】図１
2010085218.tif 000002
【特許請求の範囲】
【請求項１】
計量物の重量を計量する計量部と、その計量した内容を表示する表示部と、各種情報等を入力する入力操作部を備え、前記計量物を計量部から下ろすことなく載せたまま連続的に計量作業を行う計量装置において、
計量物の計量範囲を入力し記憶する計量範囲記憶手段と、
前記計量部に載置された計量物の重量が記憶設定された計量範囲内であるか否かを判定する許容判定手段と、
前記計量部に載置された計量物の計量が安定しているか否かを判定する計量判定手段と、
前記許容判定手段と前記計量判定手段とに基づいて、前記計量物の重量が計量範囲であり、且つ計量が安定していると判定された時に、前記表示部にゼロ表示して、次の計量準備を行う計量準備手段と、
前記計量毎に計量回数をカウントする計量回数記憶手段と、
を備え、前記表示部に前記記憶された計量回数と、前記計量準備手段の準備に基づき計量部に次に載置された計量物の重量を表示することを特徴とする計量装置。
【請求項２】
前記計量装置は、
計量物の風袋重量を置数入力して記憶する第1の風袋設定手段と、
前記計量部に載置された計量物（風袋物）の計量値を風袋重量として記憶する第２の風袋設定手段と、
を備え、前記計量中の計量物の重量から、前記第１の風袋設定手段で設定された風袋重量或いは第２の風袋設定手段で設定された風袋重量を減算し、現在計量中の計量物の実重量を前記表示部に表示することを特徴とする請求項１記載の計量装置。
【請求項３】
前記計量装置は、
計量物の単位重量を置数入力して記憶する第１の単位重量設定手段と、
前記計量部に載置された計量物の重量を単位重量として記憶する第２の単位重量設定手段と、
を備え、前記計量部に載置された計量物の重量と、前記第１又は第２の単位重量設定手段の設定に基づく単位重量とに基づいて、現在計量部に載置されている計量物の数量を計数し、前記表示部に表示することを特徴とする請求項１又は２記載の計量装置。
【請求項４】
前記計量装置は、
前記許容判定手段と前記計量判定手段とに基づいて、現在計量中の計量物が計量範囲にあるかを判定し、計量部に載置される計量物毎に重量を確定させる連続計量モードと、
前記計量部に載置された計量物の重量と単位重量とに基づき計量物の数量を計数する計数モードと、
前記計量部に載置された計量物の重量と設定された単位重量当りの単価とに基づき、計量物の値段を算出表示する計量販売モードとの３種類のモードを切り替える切替手段を備えることを特徴とする請求項３記載の計量装置。
【発明の詳細な説明】
【技術分野】
【０００１】
本発明は、計量部に載せて計量した計量物をいちいち取り除くことなく計量作業を行う計量装置に関する。
【背景技術】
【０００２】
従来、複数個の同一物品(例えば、ケーキ等)を順次計量部（計量載置台）に載置し、計量済みの計量物を載せたまま連続して計量を確定させる計量装置において、各回の計量確定（例えば、前記ケーキへのホイップクリームのトッピング作業完了）毎に風袋の重量を設定する（現在計量部に載置された物品の重量と、追加作業で加えられた重量とを風袋へ設定することで表示する計量値をゼロ表示する）操作のタイミングで、次に計量する計量物（物品）を計量部へ載置する作業を行えば問題はない。しかしながら、例えば、計量部に次に計量する計量物（物品）を載置し、まだ作業（トッピング等）が終わっていない状態で誤って風袋の重量消去の操作を行った場合には、追加作業によって加算される重量と計量物の重量とを合わせた合算重量を目安に一個当りの重量を確定する作業が行えないため、折角の連続計量作業が中断されてしまうという問題を有する。また、計量作業のやり直しや、正しい計量を行うことができないという問題があった。
【０００３】
又、上記問題を解決でき、物品の連続計量で計量値が安定すると自動的に風袋引きを行う計量装置も存在するが（例えば、特許文献１参照）、計量作業を行った回数や、計量した物品の総重量等の表示がないため、予め決まった作業量に対して作業の進捗状況を確認するために作業を一旦中止し、計量作業済みの物品（計量部に載置されている物品）の数を数え直す等を行うため、個数の数え間違い等が発生するという問題や、その確認作業行為が面倒であり、且つ流れ作業が中断されてしまう為に効率良く作業ができない。また、計量毎に風袋が異なる場合には連続計量が出来ないという欠点があった。
【０００４】
また、従来の連続計量が可能な秤装置は、物品を計量部に載せたまま連続して物品の重量を計量することに特化した秤である為、「試し秤」として利用する場合使い勝手が悪く、また「物販用秤（料金秤）」として利用することができない秤装置であった。そのため、用途別に秤装置を購入用意しなければならず不経済であると共に、該秤装置を設置する設置スペースも夫々の秤で専有されてしまうので、作業スペースが狭くなるという欠点もあった。
【０００５】
【特許文献１】特開平５−３０２８４７号公報
【発明の開示】
【発明が解決しようとする課題】
【０００６】
本発明は上記従来の技術が有する問題点に鑑みてなされたもので、計量物を計量部から下ろすことなく載せたまま連続的に計量作業を行う計量装置において、計量物を連続的に計量でき、且つ作業回数（量）を確認できて、操作ミスや計量間違いを防止し、作業性を向上し得る計量装置の提供を目的とする。
又、他の目的は１台の計量装置で、連続計量秤、料金秤、計数秤として利用することができる経済的な計量装置を提供する。
【課題を解決するための手段】
【０００７】
上記目的を達成する為に本発明の計量装置は、計量物の重量を計量する計量部と、その計量した内容を表示する表示部と、各種情報等を入力する入力操作部を備え、前記計量物を計量部から下ろすことなく載せたまま連続的に計量作業を行う計量装置において、計量物の計量範囲を入力し記憶する計量範囲記憶手段と、前記計量部に載置された計量物の重量が記憶設定された計量範囲内であるか否かを判定する許容判定手段と、前記計量部に載置された計量物の計量が安定しているか否かを判定する計量判定手段と、前記許容判定手段と前記計量判定手段とに基づいて、前記計量物の重量が計量範囲であり、且つ計量が安定していると判定された時に、前記表示部にゼロ表示して、次の計量準備を行う計量準備手段と、前記計量毎に計量回数をカウントする計量回数記憶手段と、を備え、前記表示部に前記記憶された計量回数と、前記計量準備手段の準備に基づき計量部に次に載置された計量物の重量を表示する構成を特徴とする（請求項１）。
前記計量範囲記憶手段は、同一物品を複数個連続して計量する場合、その物品（計量物）の適正重量範囲を設定するもので、その設定の方法として二つの方法が挙げられる。一つは、適正重量の上限値と下限値を直接入力設定する方法、もう一つは基準重量に対する上限と下限の割合（％）を設定する方法である。
【０００８】
上記手段によれば、計量前に計量範囲記憶手段によって計量物の適正重量範囲を設定する。そして、計量物を計量部に載置すると計量判定手段で計量が安定しているかが判断され、計量が安定していると判定されるとその確定した計量データが前記計量範囲記憶手段に設定した上限判定重量と下限判定重量の範囲内であるかの判定が行われる。範囲内に入ると判定された場合、計量物の計量回数をカウントアップし計量回数記憶手段（ＲＡＭ）へ記憶し、更に現在計量部に載置している計量物の総重量を、現在の総重量メモリに記憶させ、現在の計量した重量値を総重量メモリより減算し（ゼロ表示にする）、次の計量物の計量準備を行う。そして、表示部に、計量物の計量回数、累積総重量、現在の計量値が表示される。従って、計量した回数、累積総重量、現在の計量値を、一目で確認することができ、作業の量（回数）とその進捗状況を確認することができる。
【０００９】
前記計量装置は、風袋の設定手段を備えた構成としてもよい（請求項２）。その風袋の設定手段は、計量物の風袋重量を置数入力して記憶する第１の風袋設定手段と、前記計量部に載置された計量物（風袋物）の計量値を風袋重量として記憶する第２の風袋設定手段
と、を備え、前記計量中の計量物の重量から、前記第１の風袋設定手段で設定された風袋重量或いは第２の風袋設定手段で設定された風袋重量を減算し、現在計量中の計量物の実重量を前記表示部に表示するようにする。
前記風袋重量の置数入力は、入力操作部のテンキーを用いて入力する。
【００１０】
上記手段によれば、半製品の計量物に対する付加（追加）作業を効率よく行うことができる。例えば、シュークリームのシュー生地（半製品の計量物）の多数個を、計量部に一度に載置し、その載置した全てのシュー生地を風袋として風袋メモリへ設定し、その後で各シュー生地にクリームを詰め込む作業（付加作業）と、各シュー生地（半製品の計量物）毎に付加する付加物（クリーム）の計量（表示部に表示）とを合わせて連続して作業することができる。
【００１１】
又、前記計量装置は、計量物の単位重量設定手段を備えた構成としてもよい（請求項３）。即ち、具体的には計量物の単位重量を置数入力して記憶する第１の単位重量設定手段と、前記計量部に載置された計量物の重量を単位重量として記憶する第２の単位重量設定手段と、を備え、前記計量部に載置された計量物の重量と、前記第１又は第２の単位重量設定手段の設定に基づく単位重量とに基づいて、現在計量部に載置されている計量物の数量を計数し、前記表示部に表示するように構成する。
前記計量物の単位重量を置数入力する方法は、入力操作部のテンキーを用いて入力する。
【００１２】
上記手段によれば、製品の１個当りの単位重量を置数入力（第１の単位重量設定手段）、又は計量部に計量物を載置して計量した重量（第２の単位重量設定手段）で単位重量メモリへ設定できるので、例えば、計量部に原材料を載せることで、該計量部に載置した原材料で何個の製品を作ることができるかを簡単に知ることができる。
また、袋詰（箱詰）されている計量物で、販売時は袋或いは箱を破いて個々の製品にして販売するが、計数するときには袋或いは箱を破りたくない時、製品一個当りの単位重量を入力操作部のテンキーを用いて入力し単位重量メモリへ設定することができるので、単位重量を設定した後、計量部に袋詰（箱詰）されている計量物をそのまま載置すれば、簡単に計数することができる。
【００１３】
更に、前記計量装置は、前記許容判定手段と前記計量判定手段とに基づいて、現在計量中の計量物が計量範囲にあるかを判定し、計量部に載置される計量物毎に重量を確定させる連続計量モードと、前記計量部に載置された計量物の重量と単位重量とに基づき計量物の数量を計数する計数モードと、前記計量部に載置された計量物の重量と設定された単位重量当りの単価とに基づき、計量物の値段を算出表示する計量販売モードとの３種類のモードを切り替える切替手段を備えた構成としてもよい（請求項４）。
【００１４】
上記手段によれば、切替手段の操作で、一台の計量装置を、連続計量できる連続計量秤、計量物の値段を算出する料金秤、計量物の数量を計数する計数秤として利用することができる。従って、用途別に秤装置を用意する必要がなく、計量装置の設置スペースも複数台分確保する必要がなく、その分作業スペースを広く確保することができる。
【発明の効果】
【００１５】
本発明の計量装置は請求項１記載の構成により、計量部に物品を載せたまま連続的に計量作業を行うことができ、計量した回数、総重量、現在の計量値を一目で確認することができるので、作業をしながら現在行っている作業量（回数）とその進捗状況を確認することができる。よって、作業量の確認と計量作業を一緒に行うことが可能となる。
又、請求項２記載の構成により、半製品である計量物へ予め決められた量の付加物を付加し完成品とする付加作業において、各計量物へ付加する付加物の計量作業を、１個ずつ載せ換えて行うことなく、前記計量物を計量部へ載せたまま下ろすことなく連続して計量作業を行うことができる。それにより、計量部へ載置する半製品の計量物の大きさや重量が異なっていたとしても、それぞれ風袋として設定することができるので、付加作業（同じ重量の付加物を半製品毎に付加して完成品とする作業）を連続計量で容易に行うことができる。
【００１６】
更に、請求項３記載の構成により、製品１個当りの単位重量を設定することで、計量部に計量物を載置するだけで、該計量物から何個の製品を造ることができるかを簡単に知ることができる。また、袋詰（又は箱詰）されている計量物を計量部に載せるだけで、該計量の中の製品の個数を簡単に計数することができる。
また、請求項４記載の構成により、一台の計量装置をモードの切替によって、連続計量秤、料金秤、計数秤として使用することができる。従って、用途別に秤装置を用意する必要がなく経済的であると共に、設置スペースも１台分で済むため、作業スペースを広く確保することができる。
【発明を実施するための最良の形態】
【００１７】
以下、本発明に係る計量装置の実施の形態の一例を図面に基づいて説明する。
図１は計量装置Ａの外観図で、扁平箱型に構成され、上面に計量物を載置する計量部１が、対向する側周面の一方に店員用の操作表示部２が、側周面の他方には客側表示部３が配置形成されている。
前記計量部１は、計量皿の下面（裏面）をロードセル（図示省略）の重点側で支持した今日周知の構造のものである。
【００１８】
前記店員用の操作表示部２は、液晶タッチパネル２ａとメカキー（テンキー等）２ｂとが並列配置されて構成されている。
液晶タッチパネル２ａは、液晶表示器の上面にタッチパネルが積層された形態をなし、画面をタッチすることで画面に表示された部分を選択することができ、同一面でデータ入力と表示とを行うことができるようになっている。そして、選択したモードに応じて表示画面が切り替わるようになっている（図２参照）。
メカキー２ｂは、数字（０〜９）キー、ゼロリセットキー、「×」キー、「＋」キー、「＊」キー、「消」キー、「風」キー等で構成されている。数字キーは数値を入力する際に使用する。ゼロリセットキーは秤のゼロ点調整、及び電源の入切に使用する。「×」キーは商品の複数登録時に使用する。「＋」キーは商品の加算時に使用する。「＊」キーは現金授受操作時に使用する。「消」キーは入力した数値の消去、モードの中断等に使用する。「風」キーは風袋の設定・解除に使用する。
又、客側表示部３は液晶表示器、７セグメント表示器、ＥＬ表示器などで構成され、対面販売（料金秤モード）の使用時に値段、重量等が表示される。
【００１９】
図３は上記した計量装置の電気ブロック図で、各ブロックを制御するＣＰＵ４にバスを介してＲＯＭ５、ＲＡＭ６、客側表示部３、操作表示部２（液晶タッチパネル２ａ）、入力操作部（メカキー２ｂ）、計量部１、音声出力部７、Ｉ／Ｏが接続されている。
上記ＣＰＵ４は、ＲＯＭ５の制御プログラムに従って、ＲＡＭ６のワークエリアを用いて処理を行うことにより装置各部を制御する。
上記ＲＯＭ５には、ＣＰＵ４が実行する、予め決められた制御プログラムが記憶されている。
上記ＲＡＭ６は、複数の記憶領域を有し、各ファイルから読み出されたデータが一時的に格納される。尚、ＲＡＭ６が記憶する計量物の計量範囲（上限重量、下限重量）、風袋重量、計量回数、単位重量、総重量などについては後段で説明する。
客側表示部３の液晶表示器は、制御部（図示省略）を介してＣＰＵ４と接続されており、対面販売（料金秤モード）においては客様に購入商品の品名や値段を表示する他、計量部（秤）を使用しない時は、例えば特売情報「本日のお買い得商品」などのコマーシャルメッセージのスクロールや動画等を再生してお客様にアピールしてもよい。
操作表示部（液晶タッチパネル）２ａは、制御部（図示省略）を介してＣＰＵ４と接続されており、データの入力と、その入力したデータが表示されるようになっている。
入力操作部（メカキー）２ｂは、制御部（図示省略）を介してＣＰＵ４と接続されており、データの入力／消去と、その入力したデータ等が前記操作表示部（液晶タッチパネル）２ａに表示されるようになっている。
計量部１のロードセル（図示省略）は、ロードセル制御部（図示省略）を介してＣＰＵ４に接続されている。
音声出力部７は例えばブザーで構成され、計量完了や、計量エラー等を報知するようになっている。
Ｉ／Ｏ（入出力インターフェース）は、外部周辺機器の接続用端子で、例えばプリンタを接続して対面販売時、レシートを印字発行するようにしてもよい。
【００２０】
以下、前記計量装置のＲＡＭ６が記憶する各手段について説明する。
計量範囲記憶手段は、計量物の計量範囲（上限と下限）を設定するもので、前記操作表示部（液晶タッチパネル）２ａと入力操作部（メカキー）２ｂにより入力設定することができる。前記計量範囲の入力方法としては、置数方式と、基準値ベース方式がある。
置数方式は、入力操作部（メカキー）２ｂにて上限重量、下限重量の数値を入力設定する。
基準値ベース方式は、先に入力操作部（メカキー）２ｂにて基準値の数値を入力し、その基準値に対する上限及び下限の割合（％）を入力して上限重量、下限重量を設定する。
前記何れかの方式で入力された上限重量と下限重量は判定重量としてＲＡＭ６の計量範囲メモリへ記憶する。
【００２１】
風袋重量を設定する手段は、風袋重量の数値を入力操作部（メカキー）２ｂより直接入力する第１の風袋設定手段と、実際の風袋物を計量部に載せて計量し、その計量値を風袋重量として設定する第２の風袋設定手段を備え、その設定手段は計量物に応じて適宜選択され、ＲＡＭ６の風袋メモリへ記憶される。
【００２２】
計量物（製品１個）の単位重量を設定する手段として、単位重量の数値を入力操作部（メカキー）２ｂより直接入力する第１の単位重量設定手段と、計量物１個を計量部に載せて計量し、その計量値を単位重量として入力する第２の単位重量設定手段を備え、その設定手段は計量物に応じて適宜選択され、ＲＡＭ６の単位重量メモリへ記憶される。
【００２３】
許容判定手段は、計量部に載置された計量物の重量が、前記計量範囲記憶手段で記憶設定された上限重量と下限重量の範囲内にあるか否かを比較判定する。
計量判定手段は、計量部に載置された計量物の計量が安定しているか否かを判定するもので、一定間隔で計測される計量データを記憶し、一つ前の計量データと今回の計量データとを比較して判定する。一つ前の計量データと今回の計量データの数値が同じであれば、計量が安定したと判定し、計量データを確定する。
計量準備手段は、前記許容判定手段と前記計量判定手段とに基づいて、前記計量物の重量が計量範囲であり、且つ計量が安定していると判定された時に、前記表示部に表示している計量部に載置されている計量物の総重量を、現在の総重量メモリ（ＲＡＭ６）に記憶させ、現在の計量した重量値を総重量メモリより減算して計量値を０（ゼロ）表示にし、次の計量物の計量準備を行う。
計量回数記憶手段は、連続計量において計量物を計量部に載せて計量し、前記計量判定手段で計量データが確定と判定された時、計量回数をカウントアップしてＲＡＭ６の計量回数メモリに記憶する。
【００２４】
次に、上記計量装置の機能について説明する。
上記計量装置は、前記した許容判定手段と計量判定手段とに基づいて、現在計量中の計量物が計量範囲にあるかを判定し、計量部に載置される計量物を下ろさずに、載置された計量物毎に重量を確定させる連続計量モードと、前記計量部に載置された計量物の重量と設定された単位重量当りの単価とに基づき、計量物の値段を算出表示する計量販売（料金秤）モードと、前記計量部に載置された計量物の重量と風袋重量と単位重量とに基づき計量物の数量を計数する計数モードとの３種類のモードを切り替える切替手段を備える。その切り替えは、操作表示部２の液晶タッチパネル２ａによって行うことができる。
以下、モード切替の操作を図４のフローチャート１、各モードの操作を図５乃至図７のフローチャート２〜フローチャート４に基づいて説明する。尚、液晶タッチパネル２ａの電源がＯＮされ、該液晶タッチパネル２ａにメインメニューが表示された状態からスタートする。
【００２５】
［モード切替］（図４参照）
Ｓ１０１…モード切替の指定であるか否かの判定。モード切替である場合（YES)はＳ１０２へ進み、それ以外である場合(NO）はＳ１０６へ進む。
Ｓ１０２…選択されたモードの判定。具体的にはメインメニューに表示されたモード名、チェッカー（連続計量モード)、対面(料金秤モード）、カウンティング（計数モード）の何れかを選択し、タッチする。チェッカー（連続計量モード)の指定である場合はＳ１０３へ進む。対面(料金秤モード）の指定である場合はＳ１０４に進む。カウンティング（計数モード）の指定である場合はＳ１０５に進む。
Ｓ１０３…チェッカー（連続計量モード)。図５のフローチャート２参照。このモードが終了するとＳ１０７へ進む。
Ｓ１０４…対面(料金秤モード）。図６のフローチャート３参照。このモードが終了するとＳ１０７へ進む。
Ｓ１０５…カウンティング（計数モード）。図７のフローチャート４参照。このモードが終了するとＳ１０７へ進む。
Ｓ１０６…メンテナンスモード。初期設定値等を設定する。このモードが終了するとＳ１０７へ進む。
Ｓ１０７…作業を終了するか否かの判定。終了しない場合（NO）はＳ１０１へ戻る。
【００２６】
［チェッカー（連続計量モード）］（図５参照）
Ｓ２０１…連続計量モードを終了するか否かを判定する。連続計量モード以外のモードが選択された場合（NO）は、モード切替（図４のフローチャート１）へ、それ以外の場合（YES）はＳ２０２へ進む。
Ｓ２０２…風袋設定キー［風］が押されたか否かの判定。押された場合（YES）はＳ２０３へ進み、押されていない場合（NO）はＳ２０４へ進む。
Ｓ２０３…操作表示部２から入力された値を風袋重量としてＲＡＭ６の風袋メモリへ記憶する。風袋重量の入力設定は、前記第１の風袋設定手段又は第２の風袋設定手段の何れかによって行う。
Ｓ２０４…判定重量設定キーが押されたか否かの判定。具体的には、チェッカーモードの画面に表示された［上限］、「下限］、［上限％］、［下限％］がタッチされたか否かの判定を行う。上記の何れかが押された場合（YES）はＳ２０５へ進み、押されていない場合（NO）はＳ２０６へ進む。
【００２７】
Ｓ２０５…操作表示部２から入力された値を判定重量としてＲＡＭ６の判定重量メモリへ記憶する。判定重量の入力設定は、前記計量範囲記憶手段（置数方式、又は基準値ベース方式）によって行う。
［置数方式］
入力操作部（メカキー）２ｂにて数値（上限（下限）重量）を入力し、操作表示部（液晶タッチパネル）２ａの［上限］を押すと上限重量が前記操作表示部（液晶タッチパネル）２ａに設定表示され、［下限］を押すと下限重量が前記操作表示部（液晶タッチパネル）２ａに設定表示され、ＲＡＭ６の判定重量メモリへ記憶される。
［基準値ベース方式］
入力操作部（メカキー）２ｂにて数値（基準値）を入力し、操作表示部（液晶タッチパネル）２ａの［基準値］押すと基準値が設定され、更に入力操作部（メカキー）２ｂにて数値（割合）を入力し、操作表示部（液晶タッチパネル）２ａの［上限％］を押すと前記基準値に割合を乗算して上限重量が算出され、同様に数量（割合）を入力し、且つ［下限％］を押すと前記基準値に割合を乗算して下限重量が算出され、夫々前記操作表示部（液晶タッチパネル）２ａに設定表示され、ＲＡＭ６の判定重量メモリへ記憶される。
Ｓ２０６…連続計量か否かの判定を行う。具体的には、操作表示部（液晶タッチパネル）２ａの画面に表示されている［連続］が押されたか否かが判定される。［連続］が押された場合（YES）はＳ２０７へ進み連続計量を開始する。［連続］が押されていない場合（NO）はＳ２０１へ戻る。
Ｓ２０７…計量物（物品）が計量部に載置されたか否かの判定を行う。この判定は、表示部へ表示する計量データが０（ゼロ）以上であり、且つ、今回計量された計量データが所定時刻毎（一定間隔）でＲＡＭ６の計測計量メモリへ連続して記憶された計量データと今回計量された計量データとを比較して判定を行う。計量物（物品）が計量部に載置されていると判定された場合（YES）はＳ２０８へ進み、それ以外の場合（NO）はＳ２０７へ戻る。
【００２８】
Ｓ２０８…計量部に載置された計量物（物品）の計量データの変化を操作表示部（液晶タッチパネル）２ａのインジケータへ出力し表示を行い、Ｓ２０９へ進む。
Ｓ２０９…重量が安定したか否かの判定を行う。この判定は、一定間隔で変化する計量データを記憶し、一つ前の計量データと今回の計量データとを比較して判定を行う。重量が安定したと判定された場合（YES）はＳ２１０へ進み、それ以外の場合（NO）は（作業が行われていると判定され）Ｓ２０７へ戻る。
Ｓ２１０…確定した計量データに基づいて重量データを算出（載置された計量物の計量データよりＲＡＭ６の風袋メモリに記憶された風袋重量を減算し、当該計量物の重量データを確定）しＳ２１１へ進む。
Ｓ２１１…確定した重量データが、Ｓ２０５の入力設定で、ＲＡＭ６の判定重量メモリに記憶された上限判定重量と下限判定重量の範囲内にあるか否かの判定を行う。判定の結果、範囲に含まれない場合（NO）で、判定重量の範囲を上回る場合はエラーを報知（画面に重量を減らす旨を表示、或いはエラー音を出力）させ、下回る場合には（エラーを報知することなく、或いは不足している旨を報知して）、ＲＡＭ６の計測計量メモリへ現在計量された計量データを記憶し、Ｓ２０７へ戻り、範囲に含まれている場合（YES）はＳ２１２へ進む。
Ｓ２１２…今回計量した計量物の重量データが確定されたことを作業者に知らしめるために音声出力部（ブザー）を作動させて報知し、Ｓ２１３へ進む。
Ｓ２１３…計量物の計量回数をカウントアップしＲＡＭ６の計量回数メモリへ記憶する。
Ｓ２１４…現在、計量部に載置されている計量物の総重量を現在の総重量メモリに記憶させ、現在計量した総重量を総重量メモリより減算し、０（ゼロ）表示にして、次の計量物の計量準備を行う。
Ｓ２１５…計量物の計量回数、総重量を操作表示部（液晶タッチパネル）２ａへ表示し、Ｓ２１６へ進む。
Ｓ２１６…連続計量作業を終了するか否かの判定を行う。具体的には、操作表示部（液晶タッチパネル）２ａの画面に表示されている［連続］が再度押されたか、或いは［終了］が押されたか否かの判定を行う。［連続］或いは［終了］が押された場合（YES）は終了であると判定しＳ２０１へ戻り、それ以外の場合（NO）はＳ２０７へ戻る。
【００２９】
［対面（料金秤モード）］（図６参照）
Ｓ３０１…対面（料金秤モード）を終了するか否かを判定する。対面（料金秤モード）以外のモードが選択された場合（NO）はモード切替（図４のフローチャート１）へ、それ以外の場合（YES）はＳ３０２へ進む。
Ｓ３０２…販売する商品が計量／非計量の何れであるかの判定を行う。具体的には、入力操作部（メカキー）２ｂにて数値（数量）を入力後、［×］キーが押された場合は非計量と判定し、操作表示部（液晶タッチパネル）２ａの画面が非計量画面になる。再度［×］キーが押されると計量に切り替わり、操作表示部（液晶タッチパネル）２ａの画面も計量画面に切り替わる。前記［×］キーが押された場合（YES）は、非計量のフラグをＲＡＭ６のワークエリアへ記憶しＳ３０３へ進み、［×］キーが押されない場合（NO）はＳ３０４へ進む。尚、入力操作部（メカキー）２ｂにて数値（数量）を入力する時、数量が１の場合はこの数値入力を省略でき、［×］キーを押すことで非計量となる。
Ｓ３０３…Ｓ３０２で入力された数値を個数としてＲＡＭ６のワークエリアへ記憶する。
Ｓ３０４…風袋設定キー［風］が押されたか否かの判定。押された場合（YES）はＳ３０５へ進み、押されていない場合（NO）はＳ３０６へ進む。
Ｓ３０５…操作表示部２から入力された値を風袋重量としてＲＡＭ６のワークエリアへ記憶する。風袋重量の入力設定は、前記第１の風袋設定手段又は第２の風袋設定手段の何れかによって行う。
【００３０】
Ｓ３０６…単価設定がされたか否かを判定する。単価の入力方法は、入力操作部（メカキー）２ｂにて数値（単価）を直接入力する置数入力方法と、単価が設定されているプリセットキーを押して入力するプリセットキー入力方法の２種類がある。従って、前記単価設定の有無の判定は、入力操作部（メカキー）２ｂからの直接入力、或いは単価プリセットキーが押されたかの判定で行われる。単価設定がされた場合（YES）はＳ３０７へ進み、それ以外の場合（NO）はＳ３０８へ進む。
Ｓ３０７…Ｓ３０６で設定された値を単価としてＲＡＭ６のワークエリアへ記憶する。
Ｓ３０８…商品が計量／非計量であるかの判定を行う。ＲＡＭ６のワークエリアに記憶されている計量／非計量のフラグを読み出し、非計量である場合（NO）はＳ３１１へ進み、それ以外の場合（YES）はＳ３０９へ進む。
Ｓ３０９…商品が計量部に載置されたか否かの判定を行う。この判定は、一定間隔で変化する計量データを記憶し、一つ前の計量データと今回の計量データとを比較して判定を行う。計量物（物品）が計量部に載置されていると判定された場合（YES）はＳ３１０へ進み、それ以外の場合（NO）はＳ３０８へ戻る。
Ｓ３１０…重量が安定したか否かの判定を行う。この判定は、一定間隔で変化する計量データを記憶し、一つ前の計量データと今回の計量データとを比較して判定を行う。重量が安定したと判定された場合（YES）はＳ３１１へ進み、それ以外の場合（NO）はＳ３０８へ戻る。
【００３１】
Ｓ３１１…計量部に載置された計量物の値段の算出を行いＳ３１２へ進む。計量物が非計量の商品である場合はＲＡＭ６のワークエリアに記憶された個数と単価を乗算して値段を算出する。計量物が計量の商品である場合は、確定した重量データに単価を乗算して値段を算出する。
Ｓ３１２…加算操作されたか否かの判定を行う。この判定は、入力操作部（メカキー）２ｂの［＋］キーが押されたか否かの判定を行い、押された場合（YES）はＳ３１３へ進み、それ以外の場合（NO）はＳ３１７へ進む。但し、値段が０の場合は加算できない。又、計量物が計量商品である場合は、重量が安定するまで加算されない。
Ｓ３１３…ＲＡＭ６の加算情報エリアに個数を加算しＳ３１４へ進む。
Ｓ３１４…ＲＡＭ６の加算情報エリアに値段を加算しＳ３１５へ進む。
Ｓ３１５…ＲＡＭ６の加算情報エリアに重量を加算しＳ３１６へ進む。
Ｓ３１６…ＲＡＭ６の加算情報エリアの情報を操作表示部（液晶タッチパネル）２ａの「加算表エリア」へ表示してＳ３０２へ戻る。
Ｓ３１７…減算するか否かの判定を行う。具体的には、操作表示部（液晶タッチパネル）２ａの登録画面の［減算］が押されたか否かで判定し、押された場合（YES）はＳ３１８へ進み、それ以外の場合（NO）はＳ３１９へ進む。
Ｓ３１８…操作入力部で入力された減算金額と個数をＲＡＭ６の加算情報エリアより減算してＳ３１９へ進む。
【００３２】
Ｓ３１９…総合計を表示するか否かの判定を行う。具体的には、操作表示部（液晶タッチパネル）２ａの登録画面の［総合計］が押されたか否かで判定し、押された場合（YES）はＳ３２０へ進み、それ以外の場合（NO）はＳ３２１へ進む。
Ｓ３２０…総合計（金額、重量、個数）を表示してＳ３２１へ進む。
Ｓ３２１…小計画面へ切り替えるか否かの判定を行う。具体的には、操作表示部（液晶タッチパネル）２ａの登録画面の［加算表示エリア］が押されたか否かで判定し、押された場合（YES）はＳ３２２へ進み、それ以外の場合（NO）はＳ３０２へ戻る。
Ｓ３２２…操作表示部（液晶タッチパネル）２ａの画面が小計画面に切り替わり、現在までの小計（累計）金額を表示し、Ｓ３２３へ進む。
Ｓ３２３…操作入力部で預かり金額が入力されると、画面に預かり金額を表示すると共に、計算された釣銭金額も表示し、Ｓ３２４へ進む。尚、預かり金額が入力されない場合は、小計（累計）金額と同額の貨幣種を預かったとみなす。
Ｓ３２４…操作表示部（液晶タッチパネル）２ａで［現計］が押されるとレシートを発行しＳ３２５へ進む。
Ｓ３２５…今回取引された会計情報をＲＡＭ６の実績エリアへ加算する。実績加算は数量、金額、重量である。
Ｓ３２６…対面（料金秤）モードを終了するか否かの判定を行う。具体的には、操作表示部（液晶タッチパネル）２ａの登録画面の［終了］が押されたか否かで判定し、押された場合（YES）はＳ３０１へ戻り、それ以外の場合（NO）はＳ３０２へ戻る。
【００３３】
［計数秤（カウンティング）モード］（図７参照）
Ｓ４０１…計数モードを終了するか否かの判定を行う。計数モード以外のモードが選択された場合（NO）はモード切替（図４のフローチャート１）へ、それ以外の場合（YES）はＳ４０２へ進む。メインメニュー画面で［カウンティング］を押すことで計数秤（カウンティング）モードに切り替わり、計数秤（カウンティング）モードの画面が表示される。
Ｓ４０２…風袋設定キー［風］が押されたか否かの判定。押された場合（YES）はＳ４０３へ進み、押されていない場合（NO）はＳ４０４へ進む。
Ｓ４０３…操作表示部２から入力された値を風袋重量としてＲＡＭ６のワークエリアへ記憶する。風袋重量の入力設定は、前記第１の風袋設定手段又は第２の風袋設定手段の何れかによって行う。
Ｓ４０４…単位重量設定がされたか否かの判定を行う。具体的には、計数秤（カウンティング）モードの画面で［単位重量］が押されたか否かで判定し、押された場合（YES）はＳ４０５へ進み、押されていない場合（NO）はＳ４０６へ進む。
Ｓ４０５…操作入力部から入力された値を単位重量としてＲＡＭ６のワークエリアへ記憶する。単位重量の入力設定は、単位重量の数値を入力操作部（メカキー）２ｂより直接入力する第１の単位重量設定手段、或いは計量物１個を計量部に載せて計量し、その計量値を単位重量として入力する第２の単位重量設定手段の何れかによって行う。
【００３４】
Ｓ４０６…計量物（物品）が計量部に載置されたか否かの判定を行う。この判定は、一定間隔で変化する計量データを記憶し、一つ前の計量データと今回の計量データとを比較して判定を行う。計量物（物品）が計量部に載置されていると判定された場合（YES）はＳ４０７へ進み、それ以外の場合（NO）はＳ４０６へ戻る。
Ｓ４０７…重量が安定したか否かの判定を行う。この判定は、一定間隔で変化する計量データを記憶し、一つ前の計量データと今回の計量データとを比較して判定を行う。重量が安定したと判定された場合（YES）はＳ４０８へ進み、それ以外の場合（NO）はＳ４０６へ戻る。
Ｓ４０８…確定した重量データが、Ｓ４０５で入力設定された単位重量以上であるか否かの判定を行う。判定の結果、単位重量より載置されている重量が少ない場合（NO）はＳ４０６へ戻り、多い場合（YES）はＳ４０９へ進む。
Ｓ４０９…今回計量した計量物（物品）の重量データを単位重量で除算して個数を算出し、Ｓ４１０へ進む。
Ｓ４１０…単位重量当りの個数、総重量を操作表示部（液晶タッチパネル）２ａへ表示し、Ｓ４１１へ進む。
Ｓ４１１…計数秤（カウンティング）モードを終了するか否かの判定を行う。具体的には、操作表示部（液晶タッチパネル）２ａの［終了］が押されたか否かで判定し、押された場合（YES）はＳ４０１へ戻り、それ以外の場合（NO）はＳ４０２へ戻る。
【００３５】
本発明の計量装置は上記したように、連続計量秤、料金秤、計数秤としての３つの秤機能モードを切り替えて使用することができる秤装置である。一般的に、惣菜や弁当等を販売する小売店や、洋菓子や和菓子等を販売する小売店等で使用されている従来の秤装置は、前記各機能を夫々有する単一機能の専用秤で、用途別に購入し、用途毎に使用場所に設置して使用されている。そして、各秤装置は予め商品データを登録しておき、その登録された商品データを適宜読み出して夫々の機能の動作をさせている。従って、その商品データの登録の手間と時間が大変であった。更に、商品データの改版があった場合には、登録し直さなければ、間違った価格等で商品を販売してしまうという問題があった。
それに対し、上記した本発明の計量装置は、商品データを登録することなく、連続計量秤、料金秤、計数秤のモード切替を備え、その切り替えた各モードにおいて使用の都度必要なデータを入力設定（連続計量秤モードであれば計量範囲（上限値、下限値）、風袋重量等、料金秤モードであれば風袋重量、単価等、計数秤モードであれば風袋重量、単位重量等）することで、余計な手間或いは時間をかけることなく、購入して直ぐに使用することができる。
【００３６】
本発明の計量装置の使い方としては、例えば、連続計量モードは、惣菜等を弁当へ詰めるときに、製造する弁当の数分の各惣菜を夫々規定量を計量する。料金秤モードは、店舗で販売する商品（惣菜）を量り売りし会計をする。計数秤モードは、シュークリームの中へ詰めるクリームを入れたボールをボール毎計量部に載せ、ボールの中のクリームで何個のシュークリームを製造することができるかの個数を計数する。
しかも、連続計量モードでは、１個計量する毎に計量物を計量部から下ろすことなく、順次計量物を載せて計量することができる。
【００３７】
本発明の計量装置は図示した実施の形態に限定されず、本発明の要旨を変更しない範囲で変更することができる。
（１）実施の形態ではＩ／ＯポートをＣＯＭ１としているが、ＬＡＮ或いはＵＳＢポートを用いて上位管理装置と通信を行うようにしてもよい。
（２）実施の形態では音声出力部からの出力はブザー音の組み合わせを用いて利用者にエラー或いは作動進捗状況を知らせているが、音声を用いてエラー及び進捗状況を知らせるようにしてもよい。
（３）実施の形態では着脱容易な補助記憶装置を備えていないが、使用用途に合わせて備えるようにしてもよい。
（４）実施の形態では計量部を一つしか備えていないが、二つ以上備え組合わせ秤としてもよい。
（５）実施の形態では、計数秤モードの単位重量入力の方法として直接入力する第１の単位重量設定手段と計量物１個を計量部に載せて計量し、その計量値を単位重量として入力する第２の単位重量設定手段を挙げたが、その他に単位重量が割り振られたプリセットキーを選択して入力するプリセット方法でもよい。
（６）請求項２に記載の風袋設定手段の補足であるが、風袋キー（風袋設定手段）を使えば、計量部へ載置されたシュー生地等の重量にバラツキがあっても、前記シュー生地へクリームを詰める前に風袋キー（風袋設定手段）を操作すれば、前記シュー生地へ詰めるクリームを連続計量で精確に行うことができる。
【図面の簡単な説明】
【００３８】
【図１】本発明に係る計量装置の外観を示す斜視図で、（ａ）は店員側表示部を示し、（ｂ）は客側表示部を示す。
【図２】店員側表示部を示す説明図。
【図３】計量装置の電気ブロック図。
【図４】モード切替を示すフローチャート図。
【図５】連続計量秤モードの動作を示すフローチャート図。
【図６】料金秤モードの動作を示すフローチャート図。
【図７】計数秤モードの動作を示すフローチャート図。
【符号の説明】
【００３９】
Ａ…計量装置                    １…計量部
２…操作表示部                  ３…客側表示部
【図１】
2010085218.tif 000003
【図２】
2010085218.tif 000004
【図３】
2010085218.tif 000005
【図４】
2010085218.tif 000006
【図５】
2010085218.tif 000007
【図６】
2010085218.tif 000008
【図７】
2010085218.tif 000009